(57)【要約】【課題】洗い場パンと浴槽架台との高さ調整作業が容易に行うことができ、かつ、洗い場パンと浴槽架台とを正確な相対位置に配置することのできる浴室ユニットを提供すること。【解決手段】洗い場パンと、洗い場パンに隣接して配置される浴槽架台とを備え、洗い場パンと浴槽架台とが、それぞれ設置面からの高さを調整可能な支持脚を有し、洗い場パンに、浴槽架台の洗い場パン側の端部を保持する架台保持部が設けられていて、架台保持部が、洗い場パン側から浴槽架台側に向かって、基準水平面と略平行に延出し、浴槽架台の洗い場パン側の端部における少なくとも設置面側の端面を受け止める受け面を有している。【選択図】図１
2008215046.tif 000002
【特許請求の範囲】
【請求項１】
洗い場パンと、洗い場パンに隣接して配置される浴槽架台とを備え、
洗い場パンと浴槽架台とが、それぞれ設置面からの高さを調整可能な支持脚を有し、洗い場パンに、浴槽架台の洗い場パン側の端部を保持する架台保持部が設けられていて、架台保持部が、洗い場パン側から浴槽架台側に向かって、基準水平面と略平行に延出し、浴槽架台の洗い場パン側の端部における少なくとも設置面側の端面を受け止める受け面を有していることを特徴とする浴室ユニット。
【請求項２】
架台保持部に切り欠きが形成されているとともに、浴槽架台における洗い場パン側の端部に前記切り欠きに挿通可能な突起部が設けられていることを特徴とする請求項１記載の浴室ユニット。
【請求項３】
浴槽架台における洗い場パン側の端部に、浴槽架台を架台保持部に固定するための固定用ボルトが設けられていて、突起部が、固定用ボルトのねじ部であることを特徴とする請求項２記載の浴室ユニット。
【請求項４】
浴槽架台が、複数のフレーム部材と、隣り合うフレーム部材間に掛け渡される梁部材とを備えており、各フレーム部材が、高さ調整可能な支持脚を有しているとともに、各フレーム部材の一端部が、洗い場パンの架台保持部に保持されるように構成されていることを特徴とする請求項１から請求項３のいずれか一項に記載の浴室ユニット。
【発明の詳細な説明】
【技術分野】
【０００１】
本発明は、浴室ユニットに関するもので、特に、洗い場パンと、洗い場に隣接して配置される浴槽架台とが別々の構造体で構成されていて、施工現場において、洗い場パンと浴槽架台とを組み付ける構造の浴室ユニットに関するものである。
【背景技術】
【０００２】
従来、この種の浴室ユニットＸとしては、例えば、図１２に示すように、浴槽架台Ａが、洗い場パンＢ側の端部と洗い場とは反対側の端部の両方に、設置面Ｐからの高さを調整可能な支持脚Ｃを備えているとともに、洗い場パンＢ側の端部に、洗い場パンＢの端部を浴槽架台Ａ上に支持固定する洗い場パン支持部Ｄを備えており、洗い場パンＢが、浴槽架台Ａと反対側の端部にだけに、高さ調整可能な支持脚Ｅを備えていて、浴槽架台Ａを設置した後に、浴槽架台Ａの洗い場パン支持部Ｄに、洗い場パンＢの浴槽架台Ａ側の端部を支持固定させ、浴槽架台Ａに洗い場パンＢを連結するようにしたものがある。（例えば、特許文献１参照）。
しかしながら、上記の浴室ユニットＸは、浴槽架台Ａを設置後に、洗い場パンＢを設置する構造であるため、洗い場パンＢにおける浴槽架台Ａと反対側の端部に設けられている支持脚Ｅのレベル調整をするには、浴槽架台Ａ側から、浴槽架台Ａと洗い場パンＢとの隙間Ｓに入り込んで作業を行わなければならず、作業性が極めて悪いという問題がある。
【特許文献１】特開２００２−２１９０６７号公報
【発明の開示】
【発明が解決しようとする課題】
【０００３】
本発明は、上記問題点に鑑みてなされたものであって、洗い場パンと浴槽架台との高さ調整作業が容易に行うことができ、かつ、洗い場パンと浴槽架台とを正確な相対位置に配置することのできる浴室ユニットを提供することにある。
【課題を解決するための手段】
【０００４】
上記課題を解決するために、請求項１記載の発明は、洗い場パンと、洗い場パンに隣接して配置される浴槽架台とを備え、洗い場パンと浴槽架台とが、それぞれ設置面からの高さを調整可能な支持脚を有し、洗い場パンに、浴槽架台の洗い場パン側の端部を保持する架台保持部が設けられていて、架台保持部が、洗い場パン側から浴槽架台側に向かって、基準水平面と略平行に延出し、浴槽架台の洗い場パン側の端部における少なくとも設置面側の端面を受け止める受け面を有していることを特徴とする。
ここで、基準水平面とは、洗い場パンを設置面上に設置して、レベル調整をしたときの仮想の水平面のことをいう。
【０００５】
請求項２記載の発明は、請求項１記載の浴室ユニットにおいて、架台保持部に切り欠きが形成されているとともに、浴槽架台における洗い場パン側の端部に前記切り欠きに挿通可能な突起部が設けられていることを特徴とする。
【０００６】
請求項３記載の発明は、請求項２記載の浴室ユニットにおいて、浴槽架台における洗い場パン側の端部に、浴槽架台を架台保持部に固定するための固定用ボルトが設けられていて、突起部が、固定用ボルトのねじ部であることを特徴とする。
【０００７】
請求項４記載の発明は、請求項１から請求項３のいずれか一項に記載の浴室ユニットにおいて、浴槽架台が、複数のフレーム部材と、隣り合うフレーム部材間に掛け渡される梁部材とを備えており、各フレーム部材が、高さ調整可能な支持脚を有しているとともに、各フレーム部材の一端部が洗い場パンの架台保持部に保持されるように構成されていることを特徴とする。
【発明の効果】
【０００８】
請求項１記載の発明の浴室ユニットは、洗い場パンと、洗い場パンに隣接して配置される浴槽架台とを備え、洗い場パンと浴槽架台とが、それぞれ設置面からの高さを調整可能な支持脚を有し、洗い場パンに、浴槽架台の洗い場パン側の端部を保持する架台保持部が設けられていて、架台保持部が、洗い場パン側から浴槽架台側に向かって、基準水平面と略平行に延出し、浴槽架台の洗い場パン側の端部における少なくとも設置面側の端面を受け止める受け面を有しているので、浴槽架台の端部を架台保持部に保持させるだけで、洗い場パンと浴槽架台とを正確な相対位置に配置することができる。
また、浴室ユニットの施工時には、まず、洗い場パンを設置してレベル調整をした後に、洗い場パンの架台保持部に浴槽架台の端部を保持させた状態で、浴槽架台を設置してレベル調整をするため、洗い場パンを設置するときに、浴槽架台を設置するための空間を作業空間として確保することができ、洗い場パンの設置作業およびレベル調整作業がしやすい。
さらに、浴槽架台の設置する際には、浴槽を設置するための空間を作業空間として確保することができ、浴槽架台の設置作業およびレベル調整作業も容易に行える。
【０００９】
請求項２記載の発明は、請求項１記載の浴室ユニットにおいて、架台保持部に切り欠きが形成されているとともに、浴槽架台における洗い場パン側の端部に前記切り欠きに挿通可能な突起部が設けられているので、架台保持部の切り欠きに浴槽架台の突起部を挿通させるだけで、架台保持部に対する浴槽架台の位置決めをすることができ、浴槽架台を洗い場パンに取り付ける際の作業性を向上させることができる。
【００１０】
請求項３記載の発明は、請求項２記載の浴室ユニットにおいて、浴槽架台における洗い場パン側の端部に、浴槽架台を架台保持部に固定するための固定用ボルトが設けられていて、突起部が、固定用ボルトのねじ部であるので、洗い場パンに浴槽架台を確実に固定することができる。したがって、浴槽架台を洗い場パンに取り付ける際の作業性をさらに向上させることができる。
【００１１】
請求項４記載の発明は、請求項１から請求項３のいずれか一項に記載の浴室ユニットにおいて、浴槽架台が、複数のフレーム部材と、隣り合うフレーム部材間に掛け渡される梁部材とを備えており、各フレーム部材が、高さ調整可能な支持脚を有しているとともに、各フレーム部材の一端部が洗い場パンの架台保持部に保持されるように構成されているので、枠組一体化された浴槽架台に比べて、施工現場への搬入が容易である上、施工現場において各部材ごとにレベル調整をすることができる。したがって、浴槽架台の設置作業およびレベル調整作業の作業性を飛躍的に向上させることができる。
【発明を実施するための最良の形態】
【００１２】
以下、本発明にかかる浴室ユニットの一実施形態について、図面に基づいて詳細に説明する。
本実施形態の浴室ユニット１は、図１に示すように、洗い場パン２と、洗い場パン２に隣接して配置される浴槽架台３と、洗い場パン２に浴槽架台３を連結するための架台締結部材４０と、浴槽架台３の上に設置される浴槽５とを備えている。
【００１３】
洗い場パン２は、平面視略長方形状の床面部６と、床面部６の四囲から上向きに立ち上がる側面部７とを備えている。側面部７は、洗い場パン２の基準水平面Ｈに対して略垂直に設けられており、洗い場パン２の側面部７には、側面部７と基準水平面Ｈの双方に対して垂直方向に延びる洗い場パンリブ８が、側面部７の長さ方向に所定間隔を空けて形成されている。また、洗い場パンリブ８の両側には、図７に示すように、架台締結部材４０を取り付けるために、施工現場において、下孔２６が穿設されている。また、洗い場パン２の床面部６の四隅近傍には、高さ調整可能な洗い場パン支持脚９が取り付けられている。
【００１４】
浴槽架台３は、平行に配置される一対のフレーム部材１０，１０と、これらのフレーム部材１０，１０間に掛け渡される梁部材１１とから構成されている。フレーム部材１０は、角筒状に形成されており、フレーム部材１０の両端部には、高さ調整可能な架台支持脚１２が取り付けられている。また、フレーム部材１０の一端部には、固定用ボルト１３が取り付けられている。固定用ボルト１３は、図８に示すように、頭部１３０とフレーム部材１０の上面との間に隙間ができる程度に、緩く取り付けられている。
【００１５】
架台締結部材４０は、図６に示すように、細長い板状の基部１４と、基部１４の一端側に形成される洗い場パン固定部１５と、基部１４の他端側に形成されるフレーム保持部１６と、基部１４の幅方向両側に設けられる側面視略三角形状の補強リブ１７で構成されている。
洗い場パン固定部１５は、切り欠き溝１８と、切り欠き溝１８の両側に穿設されたビス孔１９とから構成されている。切り欠き溝１８の幅は、洗い場パン２に形成されている洗い場パンリブ８を挿通可能な幅となっている。
フレーム保持部１６は、フレーム部材１０の設置面側の端面、すなわち、フレーム部材１０の下面を受け止める下面受け部２０と、下面受け部２０と所定間隔を空けて対向配置され、フレーム部材１０の上面に当接する上面部２１と、下面受け部２０と上面部２１とに連接し、フレーム部材１０の左右両側面にそれぞれ当接する左右側面部２２、２３とからなり、下面受け部２０は、基部１４の板面に対して略直角に設けられている。
上面部２１は、下面受け部２０よりも長く形成されていて、上面部２１の遊端部には、案内溝２４が形成されている。案内溝２４の幅は、固定用ボルト１３のねじ部１３１の外径よりも広く、かつ、頭部１３０の外径よりも狭い幅となっている。そして、補強リブ１７は、基部１４の幅方向端部と、上面部２１の幅方向端部とに連接して設けられている。
【００１６】
次に、上記浴室ユニット１の設置手順について説明する。
まず、洗い場パン２を設置する。具体的には、図２に示すように、洗い場パン２の床面部６の四隅近傍に洗い場パン支持脚９を取り付け、洗い場パン２のレベル調整を行う。
【００１７】
次に、図３に示すように、レベル調整された洗い場パン２に、架台締結部材４０を取り付ける。具体的には、図７に示すように、架台締結部材４０の切り欠き溝１８に、洗い場パン２の浴槽架台設置側の側面部７に形成されている洗い場パンリブ８を挿通させる。そして、架台締結部材４０の基部１４を洗い場パン２の側面部７に突き当てた状態で、架台締結部材４０を上方に引き上げる。そして、洗い場パンリブ８の下端部が、切り欠き溝１８の奥に突き当たったら、その状態で、架台締結部材４０側からビス孔１９および下孔２６にビス２５を締め込み、架台締結部材４０を洗い場パン２の側面部７に固定する。
【００１８】
次に、浴槽架台３を設置する。具体的には、フレーム部材１０の両端部に架台支持脚１２を取り付け、固定用ボルト１３が取り付けられている側の端部を架台締結部材４０のフレーム保持部１６に差し込む。このとき、図８、図９に示すように、フレーム部材１０に取り付けられている固定用ボルト１３のねじ部１３１をフレーム保持部１６の案内溝２４に挿通させる。そして、ねじ部１３１が案内溝２４の奥に突き当たり、フレーム部材１０の設置面側の端面が、下面受け部２０に受け止められたら、その状態で、固定用ボルト１３を締め込み、架台締結部材４０にフレーム部材１０の端部を締結する。その後、フレーム部材１０の架台支持脚１２の長さを調整して、フレーム部材１０のレベル調整を行う。最後に、フレーム部材１０，１０間に梁部材１１を掛け渡して、梁部材１１をフレーム部材１０にビス等で固定する。
【００１９】
以上詳述したように、本実施形態の浴室ユニット１によれば、架台締結部材４０の下面受け部２０が、基部１４の板面に対して略直角に形成されているため、架台締結部材４０を洗い場パン２に固定すると、下面受け部２０が洗い場パン２の底面部６から所定距離離れた位置に、洗い場パン２の基準水平面Ｈと略平行に配置される。したがって、フレーム部材１０の端部を架台締結部材４０の下面受け部２０に受け止めさせることにより、フレーム部材１０のレベル調整が非常にしやすくなる上、架台締結部材４０が、スペーサ代わりとなって、洗い場パン２と浴槽架台３とを正確な相対位置に配置することができる。
【００２０】
さらに、架台締結部材４０は、洗い場パン２の側面部７に突き当てた状態で固定される基部１４と、洗い場パンリブ８を挿通可能な切り欠き溝１８とを有しているので、架台締結部材４０を洗い場パン２の側面部７の所定の位置に正確に取り付けることができる。
【００２１】
また、架台締結部材４０は、案内溝２４に固定用ボルト１３のねじ部１３１を挿通させ、ねじ部１３１が案内溝２４の奥に突き当たったら、固定用ボルト１３を締め込んで、フレーム部材１０をフレーム保持部１６に固定するようにしているので、フレーム保持部１６に対するフレーム部材１０の位置決めを確実に行うことができる。
【００２２】
さらに、フレーム保持部１６の上面部２１が、下面受け部２０よりも長く形成されているので、フレーム保持部１６にフレーム部材１０を差し込むときに、フレーム保持部１６の上面部２１が案内面となる上、上面部２１の案内溝２４にフレーム部材１０の固定用ボルト１３を仮に保持させることができ、フレーム部材１０をフレーム保持部１６にスムーズに差し込むことができる。
【００２３】
その上、洗い場パン２を設置してレベル調整した後に、浴槽架台３を設置するように構成されているので、洗い場パン２を設置するときに、浴槽架台３を設置するための空間を作業空間として確保することができ、洗い場パン２の設置作業およびレベル調整作業がしやすい。また、浴槽架台３を設置する際には、浴槽５を設置するための空間を作業空間として確保することができ、浴槽架台３の設置作業およびレベル調整作業も容易に行える。
【００２４】
また、浴槽架台３が、フレーム部材１０と、フレーム部材１０間に掛け渡される梁部材１１とから構成されていて、施工現場において、フレーム部材１０と梁部材１１とを組み付けるようにしているので、溶接等で枠組一体化された浴槽架台に比べて、施工現場への搬入が容易である上、溶接作業による生産性の低下や寸法精度のバラツキなどの問題がなく、設置作業およびレベル調整作業を容易かつ正確に行うことができる。
【００２５】
図１０は、本発明にかかる第２の実施形態の架台締結部材４１である。本実施形態の架台締結部材４１は、フレーム保持部１６と、洗い場パン取り付け部３０とを備えている。
フレーム保持部１６は、フレーム部材１０の下面を受け止める下面受け部２７と、下面受け部２７の両側から立ち上がる左右側面部２８，２９とから構成されている。そして、下面受け部２７には、フレーム部材１０の固定用ボルト１３を挿通可能な案内溝２４が形成されている。
また、洗い場パン取り付け部３０は、左右側面部２８，２９に連接して設けられており、下面受け部２７に略直角に配置される取り付け面３１と、取り付け面３１に穿設されたビス孔３２とから構成されている。
そして、架台締結部材４１を洗い場パン２に取り付けるには、取り付け面３１を洗い場パン２の側面部７の所定の位置に当接させ、ビス孔３２にビス２５を締め込み固定する。
また、架台締結部材４１にフレーム部材１０を取り付けるには、フレーム部材１０の固定用ボルト１３の取り付け面を下向きに配置して、案内溝２４に固定用ボルト１３を挿通させ、固定用ボルト１３のねじ部１３１が、案内溝２４の奥に突き当たったら、固定用ボルト１３を締め込み、下面受け部２７にフレーム部材１０の端部を固定する。
本実施形態の架台締結部材４１によれば、フレーム保持部１６を下面受け部２７と左右両側面部２８，２９とから構成し、下面受け部２７に固定用ボルト１３を挿通可能な案内溝２４を形成したことにより、架台締結部材４１の形状がシンプルとなり、製造しやすい上、下面受け部２７の上方が開放されているため、フレーム部材１０をフレーム保持部１６の上方から挿入することができ取り付けやすいという利点がある。
【００２６】
図１１は、本発明にかかる第３の実施形態の架台締結部材４２である。本実施形態の架台締結部材４２は、フレーム保持部１６と、洗い場パン取り付け部３６とを備えている。
フレーム保持部１６は、フレーム部材１０の下面を受け止める下面受け部３３と、下面受け部３３の両側から立ち上がる左右側面部３４，３５と、左側面部３４に連接する洗い場パン取り付け部３６とから構成されている。そして、下面受け部３３には、フレーム部材１０の固定用ボルト１３を挿通可能な案内溝２４が形成されている。また、洗い場パン取り付け部３６は、下面受け部３３に略直角に配置される取り付け面３７と、取り付け面３７に穿設されたビス孔３８とからなり、第２の実施形態の架台締結部材４１と同様にして、洗い場パン２に固定した後、下面受け部３３にフレーム部材１０の端部を固定する。
本実施形態の架台締結部材４２によれば、フレーム保持部１６を下面受け部３３と左右両側面部３４，３５とから構成し、下面受け部３３に固定用ボルト１３を挿通可能な案内溝２４を形成したことにより、架台締結部材４１の形状がよりシンプルとなり、製造しやすい上、下面受け部２７の上方がさらに開放されているため、フレーム部材１０をフレーム保持部１６の上方から挿入することができ、さらに取り付けやすいという利点がある。
【００２７】
なお、本発明の浴室ユニットは、上記実施形態に限定されるものではなく、本発明を実現できる構造であればよい。すなわち、本発明は、浴槽架台３の洗い場パン２側の端部を保持する架台保持部が、洗い場パン２に設けられていて、架台保持部が、洗い場パン２側から浴槽架台３側に向かって、洗い場パン２の基準水平面Ｈと略平行に延出し、浴槽架台３の洗い場パン２側の端部における少なくとも設置面側の端面を受け止める受け面を有する構成であればよい。つまり、下面受け部２０，２７，３３は、架台締結部材４０，４１，４２を洗い場パン２の側面部７に固定したときに、基準水平面Ｈと略平行になるように設けられていればよい。また、上記の架台締結部材４０，４１，４２は、洗い場パン２に一体形成されていてもよい。
また、フレーム部材１０の端部には、必ずしも固定用ボルト１３を取り付ける必要はなく、フレーム保持部１６の案内溝２４に挿入可能な突起部であればよい。したがって、例えば、フレーム部材１０に一体に形成される柱状の突起部であっても構わない。
【図面の簡単な説明】
【００２８】
【図１】本発明にかかる第１の実施形態の浴室ユニット１の外観図である。
【図２】第１の実施形態の浴室ユニット１の施工手順を示す説明図である。
【図３】第１の実施形態の浴室ユニット１の施工手順を示す説明図である。
【図４】第１の実施形態の浴室ユニット１の施工手順を示す説明図である。
【図５】第１の実施形態の浴室ユニット１の施工手順を示す説明図である。
【図６】第１の実施形態の架台締結部材４０の斜視図である。
【図７】架台締結部材４０を洗い場パン２に取り付ける様子を示す説明図である。
【図８】洗い場パン２に固定された架台締結部材４０にフレーム部材１０を取り付ける様子を示す説明図である。
【図９】架台締結部材４０のフレーム保持部１６にフレーム部材１０の端部を差し込む様子を示す説明図である。
【図１０】第２の実施形態の架台締結部材４１の概観斜視図である。
【図１１】第３の実施形態の架台締結部材４２の概観斜視図である。
【図１２】従来の浴室ユニットＸの外観図である。
【符号の説明】
【００２９】
１      浴室ユニット
２      洗い場パン
３      浴槽架台
４０    架台締結部材（架台保持部）
４１    架台締結部材（架台保持部）
４２    架台締結部材（架台保持部）
９      洗い場パン支持脚（支持脚）
１０    フレーム部材
１１    梁部材
１２    架台支持脚（支持脚）
１３    固定用ボルト（固定用部材）
１３１  ねじ部（突起部）
１８    切り欠き溝（切り欠き）
２０    下面受け部（受け面）
Ｈ      基準水平面
【図１】
2008215046.tif 000003
【図２】
2008215046.tif 000004
【図３】
2008215046.tif 000005
【図４】
2008215046.tif 000006
【図５】
2008215046.tif 000007
【図６】
2008215046.tif 000008
【図７】
2008215046.tif 000009
【図８】
2008215046.tif 000010
【図９】
2008215046.tif 000011
【図１０】
2008215046.tif 000012
【図１１】
2008215046.tif 000013
【図１２】
2008215046.tif 000014